(57)【要約】      （修正有）【課題】メールボックスの使い易さを向上することができるメールボックスシステムを提供する。【解決手段】メールボックスシステム１は、集合住宅の各住戸にそれぞれ対応して設けられ、開閉可能な扉と、扉を開けるべく駆動するねじりコイルばねとを備えたメールボックス２と、各住戸の居住者を認証し、認証が成功した場合に当該居住者の住戸を特定する認証部６１と、認証部６１により認証が成功した居住者の住戸が特定された場合、当該特定された住戸に対応するメールボックス２のねじりコイルばねにより扉を駆動させて開かせる開制御を行う扉制御部６２とを備えた。【選択図】図３
2015089441.tif 000002
【特許請求の範囲】
【請求項１】
集合住宅の各住戸にそれぞれ対応して設けられ、開閉可能な扉と、前記扉を開けるべく駆動する扉駆動部とを備えたメールボックスと、
前記各住戸の居住者を認証し、前記認証が成功した場合に当該居住者の住戸を特定する認証部と、
前記認証部により認証が成功した居住者の住戸が特定された場合、当該特定された住戸に対応するメールボックスの前記扉駆動部により前記扉を駆動させて開かせる開制御を行う扉制御部とを備えるメールボックスシステム。
【請求項２】
前記各メールボックスは、
郵便物が収容されているか否かを検出する郵便物検出部をさらに備える請求項１記載のメールボックスシステム。
【請求項３】
前記各メールボックスは、
前記郵便物検出部による検出結果に応じて、前記郵便物の収容の有無を表示する有無表示部をさらに備える請求項２記載のメールボックスシステム。
【請求項４】
前記扉制御部は、
前記認証部により認証が成功した居住者の住戸が特定された場合であっても、当該特定された住戸に対応するメールボックスの前記郵便物検出部によって前記郵便物が収容されていないことが検出されたときは、前記開制御を実行しない請求項２又は３記載のメールボックスシステム。
【請求項５】
前記各メールボックスは、
前記扉が開いているか否かを検出する開閉検出部をさらに備える請求項１〜４のいずれか１項に記載のメールボックスシステム。
【請求項６】
前記扉制御部により前記開制御が実行されていないメールボックスの前記開閉検出部によって前記扉が開いたことが検出された場合、警報を発する警報部をさらに備える請求項５記載のメールボックスシステム。
【請求項７】
前記扉が開いているメールボックスに対応する住戸を示す情報及び前記扉が開いていることを報知する開状態報知部をさらに備える請求項１〜６のいずれか１項に記載のメールボックスシステム。
【請求項８】
前記扉の開閉に関する履歴を示す履歴情報を、前記各住戸と対応付けて記憶する履歴記憶部をさらに備える請求項１〜７のいずれか１項に記載のメールボックスシステム。
【請求項９】
荷物を収容すると共に、開閉可能な荷物扉と、前記荷物扉を開けるべく駆動する荷物扉駆動部とを備えた複数の荷物ボックスと、
前記各住戸と対応付けて、当該各住戸を宛先とする荷物の有無と、当該各住戸を宛先とする荷物が収納されている荷物ボックスとを示す荷物情報を記憶する荷物情報記憶部とをさらに備え、
前記扉制御部は、
前記認証部により認証が成功した居住者の住戸が特定された場合であって、さらに前記荷物情報が、当該特定された住戸を宛先とする荷物が有ることを示す場合、当該特定された住戸を宛先とする荷物が収納されている荷物ボックスの前記荷物扉駆動部により前記荷物扉を駆動させて開かせる荷物扉開制御を実行する請求項１〜８のいずれか１項に記載のメールボックスシステム。
【請求項１０】
前記荷物情報記憶部は、さらに、前記荷物と対応付けて、当該荷物が引き取られた旨を通知するべき通知先を示す通知先情報を記憶するものであり、
前記荷物が収納された荷物ボックスから前記荷物が引き取られたことを検知する受領検知部と、
前記受領検知部によって前記荷物が引き取られたことが検知された場合、前記通知先情報に基づいて、前記引き取られたことが検知された荷物と対応付けられている通知先へ、当該荷物が引き取られた旨を通知する受領通知部とをさらに備える請求項９記載のメールボックスシステム。
【発明の詳細な説明】
【技術分野】
【０００１】
本発明は、集合住宅の各住戸に対応して設けられたメールボックスを制御するメールボックスシステムに関する。
【背景技術】
【０００２】
従来より、いわゆるマンションなどの集合住宅のエントランスホールに、各住戸のメールボックスを集中的に設置することが行われている。このようなメールボックスでは、郵便物の盗難を防止したり、集合住宅の居住者が誤って他人の住戸のメールボックスを開けてしまったりすることを防止するために、一般的にダイアル錠が取り付けられている（例えば、特許文献１参照）。
【先行技術文献】
【特許文献】
【０００３】
【特許文献１】特開平４−３８９１０号公報
【発明の概要】
【発明が解決しようとする課題】
【０００４】
ところで、近年、単身世帯の増加や、高齢化の進展に伴い、独居高齢者世帯が増加傾向にある。このような独居高齢者世帯では、メールボックスに届いた郵便物を、高齢者がメールボックスを開けて取り出すことになる。そして、メールボックスを開けるためには、ダイアル錠を回転操作して、予め設定された番号に設定した上で、メールボックスの扉を開かなければならない。しかしながら、高齢者にとっては、ダイアル錠の番号を合わせるような細かい操作が難しく、かつ手荷物を持っている場合などに扉を開けることが難しいいという、不都合があった。特に夜間では、ダイアル錠の番号が視認し難くなるため、メールボックスを開ける操作がなおさら難しい。
【０００５】
本発明の目的は、メールボックスの使い易さを向上することができるメールボックスシステムを提供することである。
【課題を解決するための手段】
【０００６】
本発明に係るメールボックスシステムは、集合住宅の各住戸にそれぞれ対応して設けられ、開閉可能な扉と、前記扉を開けるべく駆動する扉駆動部とを備えたメールボックスと、前記各住戸の居住者を認証し、前記認証が成功した場合に当該居住者の住戸を特定する認証部と、前記認証部により認証が成功した居住者の住戸が特定された場合、当該特定された住戸に対応するメールボックスの前記扉駆動部により前記扉を駆動させて開かせる開制御を行う扉制御部とを備える。
【０００７】
この構成によれば、認証部による居住者の認証が成功した場合にその居住者の住戸に対応するメールボックスの扉が扉駆動部により駆動されて開かれるので、扉を開ける操作が容易となり、メールボックスの利便性を向上することができる。
【０００８】
また、前記各メールボックスは、郵便物が収容されているか否かを検出する郵便物検出部をさらに備えることが好ましい。
【０００９】
この構成によれば、郵便物検出部によって、各メールボックスに郵便物が収容されているか否かを検出することが可能となる。
【００１０】
また、前記各メールボックスは、前記郵便物検出部による検出結果に応じて、前記郵便物の収容の有無を表示する有無表示部をさらに備えることが好ましい。
【００１１】
この構成によれば、居住者は、有無表示部の表示によって、メールボックスに郵便物が収容されているか否かを確認することができる。
【００１２】
また、前記扉制御部は、前記認証部により認証が成功した居住者の住戸が特定された場合であっても、当該特定された住戸に対応するメールボックスの前記郵便物検出部によって前記郵便物が収容されていないことが検出されたときは、前記開制御を実行しないことが好ましい。
【００１３】
この構成によれば、メールボックスに郵便物が収容されていないときは、メールボックスの扉が開かない。これにより、居住者は、メールボックスの扉が開かないことによって、自分宛ての郵便物が届いていないことを知ることができると共に、開いた扉を閉じる手間がなくなるので、メールボックスの利便性を向上することができる。
【００１４】
また、前記各メールボックスは、前記扉が開いているか否かを検出する開閉検出部をさらに備えることが好ましい。
【００１５】
この構成によれば、各開閉検出部によって、各メールボックスの扉が開いているか否かを検出することができる。
【００１６】
また、前記扉制御部により前記開制御が実行されていないメールボックスの前記開閉検出部によって前記扉が開いたことが検出された場合、警報を発する警報部をさらに備えることが好ましい。
【００１７】
扉制御部により前記開制御が実行されていないメールボックスの前記開閉検出部によって前記扉が開いたことが検出された場合、扉がこじ開けられたと考えられる。この構成によれば、扉がこじ開けられた場合に警報を発することができる。
【００１８】
また、前記扉が開いているメールボックスに対応する住戸を示す情報及び前記扉が開いていることを報知する開状態報知部をさらに備えることが好ましい。
【００１９】
この構成によれば、扉が開いているメールボックスがある場合、開状態報知部によって、そのメールボックスに対応する住戸を示す情報及び扉が開いていることが報知されるので、居住者が自分のメールボックスの扉が開いていることに気付かずに扉が開いたまま放置されるおそれが低減される。
【００２０】
また、前記扉の開閉に関する履歴を示す履歴情報を、前記各住戸と対応付けて記憶する履歴記憶部をさらに備えることが好ましい。
【００２１】
扉の開閉の実行頻度や実行間隔は、居住者の健康状態や生活態度と関連がある。この構成によれば、扉の開閉に関する履歴を示す履歴情報が各住戸と対応付けて記憶されるので、履歴情報から各住戸の居住者の健康状態や生活態度を知ったり、居住者の安否確認を行ったりすることが可能となる。
【００２２】
また、荷物を収容すると共に、開閉可能な荷物扉と、前記荷物扉を開けるべく駆動する荷物扉駆動部とを備えた複数の荷物ボックスと、前記各住戸と対応付けて、当該各住戸を宛先とする荷物の有無と、当該各住戸を宛先とする荷物が収納されている荷物ボックスとを示す荷物情報を記憶する荷物情報記憶部とをさらに備え、前記扉制御部は、前記認証部により認証が成功した居住者の住戸が特定された場合であって、さらに前記荷物情報が、当該特定された住戸を宛先とする荷物が有ることを示す場合、当該特定された住戸を宛先とする荷物が収納されている荷物ボックスの前記荷物扉駆動部により前記荷物扉を駆動させて開かせる荷物扉開制御を実行することが好ましい。
【００２３】
この構成によれば、荷物が収容される荷物ボックスが設けられている。そして、認証部による認証が成功し、かつその居住者の住戸を宛先とする荷物が荷物ボックスに収容されていた場合、その荷物ボックスの荷物扉が荷物扉駆動部により駆動されて開かれるので、荷物ボックスを備えたメールボックスシステムの利便性が向上する。
【００２４】
また、前記荷物情報記憶部は、さらに、前記荷物と対応付けて、当該荷物が引き取られた旨を通知するべき通知先を示す通知先情報を記憶するものであり、前記荷物が収納された荷物ボックスから前記荷物が引き取られたことを検知する受領検知部と、前記受領検知部によって前記荷物が引き取られたことが検知された場合、前記通知先情報に基づいて、前記引き取られたことが検知された荷物と対応付けられている通知先へ、当該荷物が引き取られた旨を通知する受領通知部とをさらに備えることが好ましい。
【００２５】
この構成によれば、荷物ボックスから荷物が引き取られると、当該荷物が引き取られた旨を通知するべき通知先へ、当該荷物が引き取られた旨、通知される。これにより、例えば宅配業者が荷物ボックスに荷物を入れた場合、宅配業者で受領確認を行うことができる。
【発明の効果】
【００２６】
このような構成のメールボックスシステムは、認証部による居住者の認証が成功した場合にその居住者の住戸に対応するメールボックスの扉が扉駆動部により駆動されて開かれるので、扉を開ける操作が容易となり、メールボックスの利便性を向上することができる。
【図面の簡単な説明】
【００２７】
【図１】本発明の一実施形態に係るメールボックスシステムの構成の一例を示す正面図である。
【図２】図１に示すメールボックスの１つを、扉が開いた状態で示す斜視図である。
【図３】図１に示すメールボックスシステムの電気的構成の一例を示すブロック図である。
【図４】図１に示すメールボックスシステムの動作の一例を示すフローチャートである。
【図５】図１に示すメールボックスシステムの動作の一例を示すフローチャートである。
【図６】図１に示すメールボックスシステムの動作の一例を示すフローチャートである。
【図７】図１に示すメールボックスシステムにおいて、メールボックスと宅配ボックスの扉が開いた状態を示す説明図である。
【発明を実施するための形態】
【００２８】
以下、本発明に係る実施形態を図面に基づいて説明する。なお、各図において同一の符号を付した構成は、同一の構成であることを示し、その説明を省略する。図１は、本発明の一実施形態に係るメールボックスシステムの構成の一例を示す正面図である。図１に示すメールボックスシステム１は、例えばマンションなどの集合住宅に設けられたメールコーナーやエントランスホール等に設けられている。
【００２９】
メールボックスシステム１は、集合住宅の各住戸に対応して設けられた複数のメールボックス２と、複数の宅配ボックス３（荷物ボックス）と、認証用操作盤４と、ディスプレイ５（開状態報知部）とを備えている。例えば集合住宅に１０１〜１０５号室、２０１〜２０５号室、及び３０１〜３０５号室の合計１５の住戸がある場合、これら１５の住戸に対応する１５個のメールボックス２が設けられている。
【００３０】
メールボックス２は、ハガキや封書等の郵便物を受け取る。メールボックス２は、開閉可能な扉２１を備えている。扉２１には、配達されてきた郵便物を受け入れるための投入口２１１と、ＬＥＤ（Light Emitting Diode）２１２（有無表示部）と、部屋番号タグ２１３とが取り付けられている。部屋番号タグ２１３には、各メールボックス２と対応する部屋番号が記載されている。
【００３１】
図２は、図１に示すメールボックス２の１つを、扉２１が開いた状態で示す斜視図である。図２に示すメールボックス２は、正面側が開放された略箱状のメールボックス本体２２に対して、水平方向に長尺の扉２１が開閉可能に取り付けられて構成されている。扉２１の一方の短辺２１６ａの上側辺縁部付近にはヒンジ２１４ａ、短辺２１６ａの下側辺縁部付近にはヒンジ２１４ｂが設けられている。扉２１は、ヒンジ２１４ａ，２１４ｂによって、短辺２１６ａを中心に揺動することによりメールボックス本体２２に対して開閉可能にされている。
【００３２】
ヒンジ２１４ａには、ねじりコイルばね２３（扉駆動部）が取り付けられている。ねじりコイルばね２３は、扉２１が閉じられたときに弾性反発力を蓄積し、扉２１に開方向の駆動力を付与する。扉２１の内側には、投入口２１１を塞ぐ開閉可能な蓋体２１５が、投入口２１１の上方からつり下げられている。
【００３３】
扉２１の内側であって、短辺２１６ａと対向する短辺２１６ｂの近傍には、ロック機構２４が取り付けられている。ロック機構２４は、閂棒２４１と、閂棒２４１を扉２１の長尺方向に沿ってスライド可能に保持する保持部２４２と、閂棒２４１を短辺２１６ｂに向かう方向に駆動するコイルばね２４３と、ソレノイド２４４と、閂棒２４１とソレノイド２４４とを連動させるリンク２４５とを含む。ソレノイド２４４は、リンク２４５を介して閂棒２４１をスライドさせる。
【００３４】
メールボックス本体２２には、閂棒２４１と係合可能に構成された係合部２２１が設けられている。これにより、扉２１が閉じられた状態で、ソレノイド２４４がオフするとコイルばね２４３の弾性反発力により閂棒２４１が突出して係合部２２１と係合し、扉２１がロックされる。扉２１が閉じられた状態で、ソレノイド２４４がオンするとソレノイド２４４の駆動力がリンク２４５を介して閂棒２４１へ伝達され、閂棒２４１が退避して係合部２２１との係合が解除され、扉２１のロックが解除される。扉２１のロックが解除されると、ねじりコイルばね２３の弾性反発力により、扉２１が開方向に駆動されて開かれる。
【００３５】
メールボックス本体２２の扉２１側周縁部には、開閉検出スイッチ２２２（開閉検出部）が取り付けられている。開閉検出スイッチ２２２としては、例えばマイクロスイッチ等の検出スイッチが用いられる。
【００３６】
また、扉２１の、扉２１が閉じられたときに開閉検出スイッチ２２２と対応する位置には、干渉片２１７が取り付けられている。これにより、扉２１が閉じられたとき、開閉検出スイッチ２２２と干渉片２１７とが干渉して開閉検出スイッチ２２２がオンする。一方、扉２１が開かれたとき、開閉検出スイッチ２２２と干渉片２１７とが干渉しなくなり、開閉検出スイッチ２２２がオフする。これにより、開閉検出スイッチ２２２は、扉２１が開いているか否かを検出する開閉検出部として機能する。なお、扉２１が、メールボックス２の前面に取り付けられている例を示したが、メールボックス２が集合住宅の壁面を貫通するように配設され、扉２１は、メールボックス２の背面に取り付けられ、壁面の向こう側で扉２１が開閉する構成としてもよい。この場合、扉２１に対応して、ロック機構２４、ＬＥＤ２１２、干渉片２１７、ヒンジ２１４ａ，２１４ｂ、ねじりコイルばね２３、係合部２２１、及び開閉検出スイッチ２２２も背面側に設けられ、蓋体２１５が前面側に設けられる。扉２１がメールボックス２の背面側に設けられる場合、認証用操作盤４もメールボックス２の背面側、すなわち壁面の向こう側に設けられる。
【００３７】
メールボックス本体２２内の底面２２３上には、郵便物検出部２５が配設されている。郵便物検出部２５は、底面２２３の略全面を覆うように配設された底板２５１と、底板２５１の下側に配設された郵便物検出スイッチ２５２とを含む。底板２５１は、図略のばね機構等により、底面２２３から微少な隙間を有して浮き上がるように配設されている。
【００３８】
メールボックス本体２２内に郵便物が収容されると、郵便物の重量で底板２５１が沈み込み、郵便物検出スイッチ２５２がオンする。これにより、郵便物検出部２５によって、メールボックス本体２２内の郵便物の有無が検出されるようになっている。なお、郵便物検出部２５として例えば光センサを用い、光学的にメールボックス本体２２内の郵便物の有無を検出するようにしてもよく、他の手段により郵便物の有無を検出するようにしてもよい。
【００３９】
郵便物検出スイッチ２５２には、ＬＥＤ２１２及び制御部６が接続されている。郵便物検出スイッチ２５２のオン、オフを示す信号は、制御部６へ送られる。また、郵便物検出スイッチ２５２によってメールボックス２内の郵便物が検出されると、ＬＥＤ２１２が点灯する。これにより、メールボックス２に郵便物が入れられると、ＬＥＤ２１２が点灯するので、居住者は、自分の部屋番号のメールボックス２に郵便物が届いているか否かをＬＥＤ２１２によって知ることができる。
【００４０】
なお、郵便物検出スイッチ２５２がオンしたときにＬＥＤ２１２が点灯する例に限らない。例えば、郵便物検出スイッチ２５２のオン、オフに応じてＬＥＤ２１２の色が変化する構成であってもよい。また、ＬＥＤ２１２の代わりに有機ＥＬ（Electro Luminescence）や電球などの表示装置を用いてもよい。
【００４１】
また、ＬＥＤ２１２は、郵便物検出スイッチ２５２と接続される例に限らない。例えば、ＬＥＤ２１２は、開閉スイッチ２２２と接続されていてもよい。そして、開閉スイッチ２２２がオンしたときにＬＥＤ２１２が点灯するようにしてもよい。これにより、居住者は、扉２１が確実に閉じているか否かを確認することができる。
【００４２】
なお、ＬＥＤ２１２は、開閉スイッチ２２２のオン、オフに応じてＬＥＤ２１２の色が変化する構成であってもよい。また、郵便物検出スイッチ２５２と連動する表示装置と、開閉スイッチ２２２と連動する表示装置とを両方備えてもよい。あるいは、ＬＥＤ２１２の点灯状態を変化させることにより、ＬＥＤ２１２一つで扉２１の開閉状態と郵便物の有無とを表示する構成としてもよい。例えば、開閉スイッチ２２２がオンしており、かつ郵便物検出スイッチ２５２がオフのとき、ＬＥＤ２１２を緑色で点灯させ、開閉スイッチ２２２がオンしており、かつ郵便物検出スイッチ２５２がオンのとき、ＬＥＤ２１２を赤色で点灯させ、開閉スイッチ２２２がオフのとき、ＬＥＤ２１２を赤色で点滅させる、等の構成であってもよい。
【００４３】
図１を参照して、１５個のメールボックス２の下方には、複数、例えば３個の宅配ボックス３が配設されている。各宅配ボックス３には、開閉可能な荷物扉３１が設けられている。荷物扉３１の外側には、各宅配ボックス３に付与されたボックス番号が記載されたナンバープレート３２と、取っ手３３とが取り付けられている。
【００４４】
宅配ボックス３の内部の構成は、投入口２１１、蓋体２１５及び郵便物検出部２５を備えない他、図２に示すメールボックス２と略同様に構成され、図７に示すように、メールボックス２におけるロック機構２４、ねじりコイルばね２３、ヒンジ２１４ａ，２１４ｂ、干渉片２１７、係合部２２１、開閉検出スイッチ２２２、閂棒２４１、保持部２４２、及びソレノイド２４４に対応するロック機構３４、ねじりコイルばね３５（荷物扉駆動部）、ヒンジ３１４ａ，３１４ｂ、干渉片３１７、係合部３２１、開閉検出スイッチ３２２、閂棒３４１、保持部３４２、及びソレノイド３４４等を備えている。その他の構成は図２に示すメールボックス２と同様であるのでその説明を省略する。
【００４５】
なお、扉駆動部及び荷物扉駆動部の一例として、ねじりコイルばねを示したが、扉駆動部及び荷物扉駆動部はねじりコイルばねに限られず、例えばソレノイドやモータであってもよい。また、宅配ボックス３の荷物扉３１及び荷物扉３１に対応する部材は、宅配ボックス３の前面側に加えて、メールボックス２の扉２１と同様、宅配ボックス３の背面側にも設けられる構成であってもよい。
【００４６】
認証用操作盤４は、例えばメールコーナーやエントランスホールの入口付近に設けられている。認証用操作盤４は、カード読取部４１と、操作部４２と、表示部４３とを備えている。認証用操作盤４は、認証カードを用いて認証を行う。
【００４７】
集合住宅の居住者は、自分がその集合住宅の居住者であることを示す認証用の認証カードを所持している。居住者が、自分の認証カードをカード読取部４１にタッチすることにより、認証カードに記憶された情報がカード読取部４１に読み取られる。カード読取部４１で読み取られた情報に基づき認証が行われる。認証カードには、その居住者の住戸を示す情報、例えば部屋番号が記憶されている。なお、認証カードには部屋番号を記憶せず、居住者とその居住者の部屋番号とを対応付けるデータテーブルを例えば認証情報記憶部６５に記憶しておき、認証カードで認証された居住者の部屋番号を、データテーブルを参照して取得する構成であってもよい。
【００４８】
カード読取部４１及び認証カードの通信方式としては、例えばＮＦＣ（Near Field Communication）を用いることができる。なお、認証方式としては、種々の方式を採用することができる。認証方式は、ＮＦＣを用いた認証方式でなくてもよく、認証カードでカード読取部４１をタッチしなくてもよい。例えば、認証用操作盤４の認証手段として、３〜５ｍ程度の距離で通信可能なＲＦＩＤ（Radio Frequency IDentification）を用い、認証カードを所持した居住者が認証用操作盤４の近傍を通過するだけで認証及び認証カードの情報の読み取りが行われるようにしてもよい。
【００４９】
あるいは、認証方式として、認証カードを用いない方式を用いてもよい。例えば、認証方式として、指紋認証、静脈パターン認証、顔認証、虹彩認証等、集合住宅の居住者の生体の特徴に基づき認証を行う生体認証方式を採用してもよい。そして、特定された居住者の部屋番号を、予め記憶装置に記憶しておくことで、認証された居住者の部屋番号を特定可能としてもよい。
【００５０】
また、集合住宅に荷物を配送する宅配業者もまた、認証カードを所持してもよい。この場合、認証カードに宅配業者を識別する情報を記憶しておき、認証を行った宅配業者を特定可能とする。
【００５１】
操作部４２は、例えばテンキー等のキーボードである。集合住宅に荷物を配達しにきた宅配業者が、操作部４２を用いて荷物の配達先の部屋番号を入力可能にされている。表示部４３は、例えば液晶表示装置等の表示装置である。表示部４３には、操作部４２で入力された内容や、認証カードの認証結果等が表示される。
【００５２】
ディスプレイ５は、例えば液晶表示装置等の表示装置である。ディスプレイ５は、例えばメールコーナーやエントランスホールの入口又は出口付近等、居住者から見易く目立つ場所に取り付けられる。ディスプレイ５は、例えば制御部６からの信号に基づいて、扉２１が開いた状態になっているメールボックス２や、荷物扉３１が開いた状態になっている宅配ボックス３が有った場合、そのメールボックス２や宅配ボックス３に対応する部屋番号と、そのメールボックス２や宅配ボックス３の扉が開いている旨の警報を表示する。なお、ディスプレイ５の代わりに音声合成装置やスピーカを用いて、部屋番号と扉が開いている旨の警報を報知するようにしてもよく、例えばブザーを用いて警戒音を警報として発するようにしてもよい。なお、ディスプレイ５は、例えば制御部６からの信号に基づいて、荷物が収納された宅配ボックス３に対応する部屋番号を表示してもよい。
【００５３】
図３は、図１に示すメールボックスシステム１の電気的構成の一例を示すブロック図である。図３に示すメールボックスシステム１は、ネットワーク７を介して管理サーバ８、及び複数の宅配サーバ９とデータ送受信可能に接続されている。
【００５４】
ネットワーク７は、例えばＬＡＮ（Local Area Network）やＷＡＮ（Wide Area Network）等の通信ネットワークである。管理サーバ８は、例えば集合住宅の管理者が運用しているサーバ装置である。各宅配サーバ９は、予め登録された各宅配業者が運用しているサーバ装置である。
【００５５】
認証用操作盤４は、制御部６を含む。制御部６は、例えば所定の演算処理を実行するＣＰＵ（Central Processing Unit）、所定のプログラムやデータ等を記憶するＲＯＭ（Read Only Memory）やフラッシュメモリ等の不揮発性の記憶部、データを一時的に記憶するＲＡＭ（Random Access Memory）、ネットワーク７を介して通信を実行する通信インターフェイス回路、現在の日時を計時するＲＴＣ（Real Time Clock）等の時計回路、及びこれらの周辺回路等を備えて構成されている。
【００５６】
制御部６は、例えばＲＯＭ等に記憶された制御プログラムを実行することにより、認証部６１、扉制御部６２、受領検知部６３、受領通知部６４及び警報部６８として機能する。また、上記記憶部やＲＡＭは、認証情報記憶部６５、履歴記憶部６６、及び荷物情報記憶部６７として用いられる。
【００５７】
制御部６は、カード読取部４１、操作部４２、表示部４３、ディスプレイ５、各メールボックス２、各宅配ボックス３、及びネットワーク７と接続され、これらとの間でデータや信号の送信又は受信が可能にされている。
【００５８】
なお、制御部６は、必ずしも認証用操作盤４に設けられる例に限られず、認証用操作盤４の外に設けられていてもよい。例えば、制御部６は、パーソナルコンピュータやサーバ装置により構成されていてもよく、例えば管理サーバ８が制御部６としても機能する構成であってもよい。
【００５９】
認証情報記憶部６５には、各住戸の部屋番号や、各住戸の居住者を認証するための情報が居住者認証情報として予め記憶されている。また、認証情報記憶部６５には、予め登録された宅配業者を示す宅配業者識別情報や、各宅配業者を認証するための情報が宅配業者認証情報として予め記憶されている。
【００６０】
また、認証情報記憶部６５には、各宅配業者識別情報と対応付けて、各宅配業者に連絡するための通知先情報が予め記憶されている。通知先情報としては、例えば各宅配業者が運用している宅配サーバ９の電子メールアドレスを用いることができる。なお、通知先情報は、電子メールアドレスに限られず、例えば電話番号やファクシミリ番号等であってもよい。
【００６１】
認証部６１は、カード読取部４１によって居住者の認証カードから読み取られた情報と認証情報記憶部６５に記憶された居住者認証情報とを照合し、照合結果が一致した場合に居住者について認証成功と判定すると共にその居住者の部屋番号を取得する。
【００６２】
また、認証部６１は、カード読取部４１によって宅配業者の認証カードから読み取られた情報と認証情報記憶部６５に記憶された宅配業者認証情報とを照合し、照合結果が一致した場合に宅配業者について認証成功と判定し、その宅配業者を識別する宅配業者識別情報を認証カードから取得する。宅配業者について認証が成功すると、認証部６１は、表示部４３に、例えば「配達先の部屋番号を入力して下さい」といった部屋番号の入力を促すメッセージを表示させる。そして、宅配業者が部屋番号を入力すると、その部屋番号を配達先の部屋番号として取得する。
【００６３】
また、認証部６１は、各部屋番号と対応づけて、認証が行われた記録を履歴情報として履歴記憶部６６に記憶させる。なお、履歴記憶部６６は、制御部６に設けられる例に限られず、例えば管理サーバ８に設けられていてもよい。また、認証部６１による認証は、メールボックス２を開けるため、又は、メールボックス２及び宅配ボックス３を開けるためのみの認証であってもよく、例えば集合住宅への入館のための認証を兼ねた認証であってもよい。また、認証は、居住者の住戸を特定可能な情報を取得できればよく、暗号化技術やパスワード等によって確実に本人確認できるものでなくてもよい。
【００６４】
扉制御部６２は、認証部６１によって、宅配業者について認証成功と判定されると、荷物情報記憶部６７に記憶されている荷物情報に基づき、三つの宅配ボックス３のうち荷物が収納されていない宅配ボックス３を一つ選択し、その宅配ボックス３のソレノイド３４４を駆動させることにより閂棒３４１を退避させて、その宅配ボックス３のロックを解除する。そうすると、ねじりコイルばね３５の弾性復元力により荷物扉３１が駆動され、その宅配ボックス３の荷物扉３１が開かれる。
【００６５】
このようにして扉が開いた宅配ボックス３に宅配業者が荷物を収納し、荷物扉３１を閉じて、その宅配ボックス３の開閉検出スイッチ３２２がオンすると、扉制御部６２は、荷物情報記憶部６７に、その宅配ボックス３のボックス番号と対応づけて、荷物が収納されていることを示す情報と、配達先の部屋番号と、宅配業者識別情報とを荷物情報として記憶する。また、開閉検出スイッチ３２２がオンすると、扉制御部６２は、その宅配ボックス３のソレノイド３４４をオフさせる。そうすると、その宅配ボックス３の閂棒３４１がコイルばねによって突出され、係合部３２１と係合してその宅配ボックス３がロックされる。
【００６６】
扉制御部６２は、認証部６１によって、居住者について認証成功と判定されると、その部屋番号に対応するメールボックス２の郵便物検出スイッチ２５２の状態を確認する。そして、郵便物検出スイッチ２５２がオンしていれば、そのメールボックス２のソレノイド２４４を駆動させ、閂棒２４１を退避させて、そのメールボックス２のロックを解除する。そうすると、ねじりコイルばね２３の弾性復元力により扉２１が駆動され、そのメールボックス２の扉が開かれる。このとき、その配達先の部屋番号と対応する荷物情報が荷物情報記憶部６７に記憶されていた場合、扉制御部６２は、その部屋番号と対応する荷物が収納されている宅配ボックス３の荷物扉３１を開ける制御を実行する。
【００６７】
受領検知部６３は、荷物が収納された宅配ボックス３から荷物が引き取られたことを検知する。受領検知部６３は、例えば荷物扉３１が開かれた後に荷物扉３１が閉じられた（開閉検出スイッチ３２２がオンした）場合に、宅配ボックス３から荷物が引き取られたことを検知する。なお、例えば宅配ボックス３内に、例えば郵便物検出部２５と同様に構成された荷物検出手段を備え、受領検知部６３は、荷物検出手段によって荷物が検出されなくなったときに、宅配ボックス３から荷物が引き取られたことを検知する構成であってもよい。
【００６８】
受領通知部６４は、受領検知部６３によって、宅配ボックス３から荷物が引き取られたことが検知された場合、荷物情報記憶部６７の荷物情報を参照し、その宅配ボックス３のボックス番号と対応付けられている宅配業者識別情報を取得する。受領通知部６４は、さらに認証情報記憶部６５の通知先情報を参照し、その宅配業者識別情報と対応付けられている電子メールアドレスを取得する。そして、受領通知部６４は、その電子メールアドレスにより宛先を指定して、ネットワーク７を介して宅配業者の宅配サーバ９へ、荷物が引き取られた旨の電子メールを送信する。
【００６９】
警報部６８は、扉制御部６２によって扉２１を開ける開制御すなわちソレノイド２４４をオンさせる制御が実行されていないメールボックス２の開閉検出スイッチ２２２が、オンからオフに変化して扉２１が開いたことが検出された場合、警報を発する。
【００７０】
また、警報部６８は、扉制御部６２によって荷物扉３１を開ける開制御すなわちソレノイド３４４をオンさせる制御が実行されていない宅配ボックス３の開閉検出スイッチ３２２が、オンからオフに変化して荷物扉３１が開いたことが検出された場合、警報を発する。
【００７１】
警報は、例えば図略のブザーによって警報音を鳴らすことによって行ってもよく、音声により警告メッセージを発してもよく、ネットワーク７を介して管理サーバ８へ警報を示す情報を送信することによって行ってもよい。あるいは、メールコーナー等に監視カメラを設置し、警報と共に、その監視カメラの画像をディスプレイ５に表示したり、その画像を管理サーバ８へ送信して管理サーバ８の画面に表示させたりしてもよい。あるいは、警報部６８は、警報と共に、異常の発生を予め設定された警備会社へ電話回線やネットワーク７を介して通報してもよい。
【００７２】
扉制御部６２が開制御を行っていないのに扉が開いた場合、その扉は、不審者により無理矢理こじ開けられたものと考えられ、郵便物や荷物が盗難にあう可能性が高い。そこで、警報部６８を備え、扉がこじ開けられたときにメールボックス２や宅配ボックス３の近傍に設けられたブザーを鳴らして警報を発するようにすれば、不審者への警告となり、盗難を防止することが期待できる。また、扉がこじ開けられたことを管理サーバ８へ警報として通知することで、管理者が警備会社に連絡するなどして盗難に対処することが可能となる。また、警報部６８が、警報と共に、こじ開けられた扉に対応する部屋番号を管理サーバ８へ送信することにより、管理者が、こじ開けられたメールボックス２や宅配ボックス３の居住者へ、盗難が発生したおそれがある旨、注意を喚起することができる。
【００７３】
次に、上述のように構成されたメールボックスシステム１の動作について説明する。図４、図５、図６は、メールボックスシステム１の、居住者による認証が行われる際の動作を説明するためのフローチャートである。まず、居住者が、カード読取部４１に認証カードをタッチすると、カード読取部４１によって、認証カードに記憶された情報が読み取られる。
【００７４】
なお、居住者は、自分の認証カードをカバンの奥に入れている場合など、認証カードをカバンから取り出してカード読取部４１にタッチすることが煩わしいことがある。このような場合、自分のメールボックス２のＬＥＤ２１２の表示によって、自分のメールボックス２に郵便物が届いているか否かが判るので、ＬＥＤ２１２が消灯している場合は認証を行わずにすませることができる。このように、ＬＥＤ２１２を備えることで、メールボックスシステム１の利便性が向上する。
【００７５】
次に、認証部６１によって、カード読取部４１により読み取られた情報に基づき認証が行われる（ステップＳ１）。そして、認証が成功すると（ステップＳ１でＹＥＳ）、認証部６１によって、カード読取部４１により読み取られた情報に基づき、その居住者の部屋番号が目的部屋番号として取得される（ステップＳ２）。
【００７６】
次に、認証部６１は、その目的部屋番号と対応付けて、認証が実行されたことを示す履歴情報を履歴記憶部６６に記憶させる（ステップＳ３）。認証により扉２１が開けられるから、認証が実行された履歴を示す情報は、扉の開閉に関する履歴を示す履歴情報の一例である。履歴情報は、例えば認証が実行された年月日や時刻を示す時間情報、認証に用いられた認証カードの識別番号等の情報である。なお、例えば制御部６が、開閉検出スイッチ２２２のオン、オフの履歴を示す情報を、履歴情報として履歴記憶部６６に記憶させてもよい。
【００７７】
集合住宅の居住者宛には、通常、ほぼ毎日、何らかの郵便物や配達物が届けられる。従って、居住者が健康であれば、定期的にカード読取部４１に認証カードをタッチして、郵便物や配達物を引き取ろうとするはずである。従って、ある部屋番号の居住者が、長期間（例えば２日間程度）、認証を行わなかった場合、その居住者は、健康を害している可能性がある。そこで、履歴記憶部６６に履歴情報を記憶させることで、例えば集合住宅の管理者が履歴情報を参照し、各住戸の居住者による認証の実行履歴から、居住者の健康状態を推定することが可能になる。これにより、履歴情報を、居住者の健康管理や安否確認に役立てることが可能となる。
【００７８】
また、生活態度に問題のある居住者は、メールボックスに郵便物が溜まっていても、郵便物を引き取らない場合がある。このような場合にも、例えば集合住宅の管理者が履歴情報を参照することで、各住戸の居住者による認証の実行履歴から、居住者の生活態度を把握することが可能となる。
【００７９】
履歴記憶部６６に記憶された履歴情報は、例えば管理サーバ８からネットワーク７を介して読み出し可能にされていてもよく、あるいは管理者が操作部４２を操作することによって、表示部４３やディスプレイ５に表示される構成であってもよい。あるいは、履歴情報に対し、例えば統計処理などの処理を施したデータを、管理サーバ８へ送信したり、表示部４３やディスプレイ５に表示したりする構成であってもよい。
【００８０】
以降、制御部６によって、メールボックス２に対する処理（ステップＳ４）と、宅配ボックス３に対する処理（ステップＳ５）とが略並列的に実行される。
【００８１】
図５は、メールボックス２に対する処理の一例を示すフローチャートである。扉制御部６２は、ステップＳ２で得られた目的部屋番号に対応するメールボックス２に、郵便物が有るか否かを確認する（ステップＳ１１）。具体的には、扉制御部６２は、目的部屋番号に対応するメールボックス２の郵便物検出スイッチ２５２がオンしているか否かを確認する（ステップＳ１１）。
【００８２】
そして、その郵便物検出スイッチ２５２がオンしていれば（ステップＳ１１でＹＥＳ）、扉制御部６２は、目的部屋番号に対応するメールボックス２のソレノイド２４４を駆動してロックを解除し、ねじりコイルばね２３により扉２１を開かせ、その扉２１が開いていることをディスプレイ５に表示させる（ステップＳ１２）。例えば、目的部屋番号が２０２であった場合、扉制御部６２は、図７に示すように、２０２号室に対応する扉２１を開かせる。
【００８３】
これにより、居住者は、ダイアル錠の番号を合わせるような細かい操作を行うことなく、例えば認証カードをカード読取部４１にタッチするといった簡単な認証操作で、目的部屋番号に対応するメールボックス２すなわち自分のメールボックスの扉を開けることができるので、メールボックスの使い易さを向上することができる。
【００８４】
また、居住者は、自分のメールボックスの扉が開いたことにより、自分のメールボックスの場所が判るので、各メールボックス２の部屋番号タグ２１３を見て自分のメールボックスを探す必要がなく、利便性が向上する。また、自分のメールボックスに郵便物が入っていた場合のみ、自分のメールボックスの扉が開くので、自分のメールボックスに郵便物が届いているか否かを別途確認する必要がなくなる結果、利便性が向上する。
【００８５】
さらに、居住者は、認証操作を行うだけで、郵便物が届いている場合にのみ自分のメールボックスの扉が開くので、別途自分のメールボックスに郵便物が届いているか否かを確認する必要がなく利便性が向上する。
【００８６】
特に、高齢者にとっては、ダイアル錠の番号を合わせるような細かい操作を行ったり、手に荷物を持っている場合にメールボックスの扉を開いたり、部屋番号タグ２１３を見て自分のメールボックスを探したり、あるいは自分のメールボックスに郵便物が届いているか否かを確認したりする負担が大きいので、このような細かい操作や扉を開ける動作、及び自分のメールボックスを探したり、自分のメールボックスに郵便物が届いているか否かを確認したりする手間が省けることは、利便性向上の効果が大きい。
【００８７】
また、ステップＳ１２において、目的部屋番号に対応するメールボックス２の扉２１が開いていることがディスプレイ５に表示されるので、居住者が自分のメールボックスの扉が開いていることに気づかずに、扉が開いたまま放置してしまうおそれが低減される。具体的には、例えば目的部屋番号が２０２であった場合、扉制御部６２は、ディスプレイ５によって、「２０２号室のメールボックスの扉が開いています」といったメッセージを表示させる。
【００８８】
なお、扉制御部６２は、開制御を行うことにより、扉が開いているものとしてメッセージをディスプレイ５に表示させる例を示したが、開閉検出スイッチ２２２がオフして扉が開いていることが検出された場合にメッセージをディスプレイ５に表示させる構成としてもよい。
【００８９】
一方、ステップＳ１１において、目的部屋番号に対応するメールボックス２の郵便物検出スイッチ２５２がオンしておらず、郵便物が収容されていない場合（ステップＳ１１でＮＯ）、扉制御部６２は、扉２１を開けることなくメールボックス２に対する処理を終了する。
【００９０】
これにより、居住者が認証操作を行った場合でも、その居住者のメールボックス２に郵便物が収納されていないときは扉２１が開かない。従って、居住者は、扉２１が開いたメールボックス２がないことから自分のメールボックス２に郵便物が届いていないことが判る。
【００９１】
次に、ステップＳ１３において、扉制御部６２は、目的部屋番号に対応するメールボックス２の開閉検出スイッチ２２２がオンしたか否か、すなわちそのメールボックス２の扉２１が閉じられたかどうかを確認する（ステップＳ１３）。
【００９２】
ステップＳ１２において扉２１が開くと、開閉検出スイッチ２２２がオフする。この状態で居住者が、扉２１の開いたメールボックス２から郵便物を取り出して、扉２１を閉めると開閉検出スイッチ２２２がオンする。すなわち、ステップＳ１３で開閉検出スイッチ２２２がオンした場合、居住者が自分のメールボックス２から郵便物を取り出して（あるいは郵便物を確認して）、扉２１を閉めたと考えられる。
【００９３】
そこで、扉制御部６２は、目的部屋番号に対応するメールボックス２の開閉検出スイッチ２２２がオンした場合（ステップＳ１３でＹＥＳ）、ディスプレイ５に表示されている、目的部屋番号に対応する扉２１が開いている旨の表示を消去し（ステップＳ１４）、メールボックス２に対する処理を終了する。
【００９４】
一方、居住者が自分のメールボックス２の扉２１を閉めなかったり、閉まり方が不十分であったりした場合、開閉検出スイッチ２２２がオンしない。そこで、扉制御部６２は、目的部屋番号に対応するメールボックス２の開閉検出スイッチ２２２がオンするまで待機し、ディスプレイ５による目的部屋番号に対応する扉２１が開いている旨の表示を継続させる（ステップＳ１３でＮＯ）。
【００９５】
これにより、居住者は、ディスプレイ５の表示により自分のメールボックス２の扉２１が開いていることや、閉まり方が不十分であることを知ることができるので、メールボックス２の扉２１が開いたまま、あるいは閉まり方が不十分なまま放置されるおそれが低減される。
【００９６】
図６は、宅配ボックス３に対する処理の一例を示すフローチャートである。扉制御部６２は、荷物情報記憶部６７を参照し、ステップＳ２で得られた目的部屋番号に対応して荷物が収納されていることを示す荷物情報が記憶されているか否か、すなわち目的部屋番号に対応する配達荷物があるか否かを判断する（ステップＳ２１）。
【００９７】
そして、荷物情報記憶部６７に、目的部屋番号に対応する荷物が収納されていることを示す荷物情報が記憶されておらず、すなわち目的部屋番号に対応する配達荷物が存在しない場合（ステップＳ２１でＮＯ）、扉制御部６２は、宅配ボックス３に対する処理を終了する。
【００９８】
これにより、居住者が認証操作を行った場合でも、その居住者宛ての荷物が届いていない場合、宅配ボックス３の荷物扉３１が開かない。従って、居住者は、荷物扉３１が開いた宅配ボックス３がないことから自分宛ての荷物が届いていないことが判る。
【００９９】
一方、目的部屋番号に対応する荷物が収納されていることを示す荷物情報が記憶されており、すなわち目的部屋番号に対応する配達荷物が存在する場合（ステップＳ２１でＹＥＳ）、扉制御部６２は、荷物情報に基づいて、目的部屋番号に対応する荷物が収納された宅配ボックス３のボックス番号を目的ボックス番号として取得する。そして、扉制御部６２は、図７に示すように、目的ボックス番号の宅配ボックス３のソレノイド３４４を駆動してロックを解除し、ねじりコイルばね３５（荷物扉駆動部）により荷物扉３１を開かせ、その荷物扉３１が開いていることをディスプレイ５に表示させる（ステップＳ２２）。図７に示す例では、目的ボックス番号が２の例を示している。
【０１００】
これにより、居住者は、ダイアル錠の番号を合わせるような細かい操作を行うことなく、例えば認証カードをカード読取部４１にタッチするといった簡単な認証操作で、自分宛に配達された宅配ボックスの扉を開けることができるので、宅配ボックスの使い易さを向上することができる。
【０１０１】
また、居住者は、宅配ボックスの扉が開いたことにより、自分宛に配達された荷物が収容された宅配ボックスの場所が判るので、例えば操作部４２を操作して自分宛に配達された荷物が収容されている宅配ボックスのボックス番号を表示部４３に表示させたり、そのボックス番号の宅配ボックスを探したりする必要がなく、利便性が向上する。また、自分宛ての荷物が届いていた場合のみ、宅配ボックスの扉が開くので、自分宛てに荷物が届いているか否かを別途確認する必要がなくなる結果、利便性が向上する。
【０１０２】
特に、高齢者にとっては、メールボックスの場合と同様、ダイアル錠の番号を合わせるような細かい操作や扉を開ける動作、及び自分宛ての荷物が収納された宅配ボックスを探したりする手間が省けることは、利便性向上の効果が大きい。
【０１０３】
また、ステップＳ２２において、目的ボックス番号に対応する宅配ボックス３の荷物扉３１が開いていることがディスプレイ５に表示されるので、居住者が自分の荷物が入った宅配ボックスの扉が開いていることに気づかずに、扉が開いたまま放置してしまうおそれが低減される。具体的には、例えば目的部屋番号が２０２、目的ボックス番号が２であった場合、扉制御部６２は、ディスプレイ５によって、「２０２号室宛ての荷物が入った２番の宅配ボックスの扉が開いています」といったメッセージを表示させる。
【０１０４】
次に、扉制御部６２は、目的ボックス番号に対応する宅配ボックス３の開閉検出スイッチ３２２がオンしたか否か、すなわちその宅配ボックス３の荷物扉３１が閉じられたかどうかを確認する（ステップＳ２３）。
【０１０５】
ステップＳ２２において荷物扉３１が開くと、開閉検出スイッチ３２２がオフする。この状態で居住者が、荷物扉３１の開いた宅配ボックス３から荷物を取り出して、荷物扉３１を閉めると開閉検出スイッチ３２２がオンする。すなわち、ステップＳ２３で開閉検出スイッチ３２２がオンした場合、居住者が自分の宅配ボックス３から荷物を取り出して、荷物扉３１を閉めたと考えられる。
【０１０６】
そこで、受領検知部６３は、目的ボックス番号に対応する宅配ボックス３の開閉検出スイッチ３２２がオンした場合（ステップＳ２３でＹＥＳ）、荷物が収納された宅配ボックス３から荷物が引き取られたことを検知する。そして、扉制御部６２は、ディスプレイ５に表示されている、目的ボックス番号に対応する荷物扉３１が開いている旨の表示を消去する（ステップＳ２４）。
【０１０７】
一方、居住者が目的ボックス番号に対応する宅配ボックス３の荷物扉３１を閉めなかったり、閉まり方が不十分であったりした場合、開閉検出スイッチ３２２がオンしない。そこで、扉制御部６２は、目的ボックス番号に対応する宅配ボックス３の開閉検出スイッチ３２２がオンするまで待機し、ディスプレイ５による目的ボックス番号に対応する荷物扉３１が開いている旨の表示を継続させる（ステップＳ２３でＮＯ）。
【０１０８】
これにより、居住者は、ディスプレイ５の表示により自分の宅配ボックス３の荷物扉３１が開いていることや、閉まり方が不十分であることを知ることができるので、宅配ボックス３の荷物扉３１が開いたまま、あるいは閉まり方が不十分なまま放置されるおそれが低減される。
【０１０９】
また、受領検知部６３によって目的ボックス番号に対応する宅配ボックス３から荷物が引き取られたことが検知されると（ステップＳ２３でＹＥＳ）、受領通知部６４は、荷物情報記憶部６７の荷物情報を参照し、その宅配ボックス３と対応付けられている宅配業者識別情報を取得する。受領通知部６４は、さらに認証情報記憶部６５の通知先情報を参照し、その宅配業者識別情報と対応付けられている電子メールアドレスを取得する。そして、受領通知部６４は、その電子メールアドレスにより宛先を指定して、荷物が引き取られた旨の電子メールを送信し（ステップＳ２５）、宅配ボックス３に対する処理が終了する。なお、受領通知部６４は、電話やファクシミリ等、電子メール以外の手段により荷物が引き取られた旨を通知してもよい。
【０１１０】
これにより、宅配荷物を宅配ボックス３に収納した宅配業者へ、その荷物が配達先の居住者によって引き取られたことを通知することができる。従って、宅配業者は、配達先の居住者が不在の場合であっても、宅配ボックス３に荷物を収納することで、その荷物を配達先の居住者に引き渡し、その受領確認を行うことが可能となる。
【０１１１】
なお、メールボックスシステム１は、受領検知部６３及び受領通知部６４を備えない構成であってもよい。また、メールボックスシステム１は、宅配ボックス３を備えていなくてもよい。また、メールボックスシステム１は、履歴記憶部６６を備えていなくてもよい。また、ディスプレイ５を備えていなくてもよい。また、警報部６８を備えていなくてもよい。また、郵便物検出スイッチ２５２を備えず、ステップＳ１１を実行しなくてもよい。
【符号の説明】
【０１１２】
１    メールボックスシステム
２    メールボックス
３    宅配ボックス（荷物ボックス）
４    認証用操作盤
５    ディスプレイ（開状態報知部）
６    制御部
７    ネットワーク
８    管理サーバ
９    宅配サーバ
２１  扉
２２  メールボックス本体
２３  ねじりコイルばね（扉駆動部）
２４  ロック機構
２５  郵便物検出部
３１  荷物扉
３２  ナンバープレート
３３  取っ手
３４  ロック機構
３５  ねじりコイルばね（荷物扉駆動部）
４１  カード読取部
４２  操作部
４３  表示部
６１  認証部
６２  扉制御部
６３  受領検知部
６４  受領通知部
６５  認証情報記憶部
６６  履歴記憶部
６７  荷物情報記憶部
６８  警報部
２１１      投入口
２１２      ＬＥＤ（有無表示部）
２１３      部屋番号タグ
２１４ａ，２１４ｂ      ヒンジ
２１５      蓋体
２１６ａ，２１６ｂ      短辺
２１７      干渉片
２２１      係合部
２２２      開閉検出スイッチ
２２３      底面
２４１      閂棒
２４２      保持部
２４３      コイルばね
２４４      ソレノイド
２４５      リンク
２５１      底板
２５２      郵便物検出スイッチ
３１４ａ，３１４ｂ      ヒンジ
３１７      干渉片
３２２      開閉検出スイッチ
３４１      閂棒
３４２      保持部
３４４      ソレノイド
【図１】
2015089441.tif 000003
【図２】
2015089441.tif 000004
【図３】
2015089441.tif 000005
【図４】
2015089441.tif 000006
【図５】
2015089441.tif 000007
【図６】
2015089441.tif 000008
【図７】
2015089441.tif 000009